(57)【要約】      （修正有）【課題】全ての資源ゴミや可燃ゴミ等の分類作業が出来、各作業とも非常に楽に簡単に出来るようになり、各家庭の分類出しも非常に早くかつ安全であり作業が楽になる。【解決手段】どんなサイズのネジフタの外周にも保持部が当接できるようにする為に三日月型のスライド溝４を考案して、小さなネジフタを保持する時は保持部７が保持部５の外周を廻って当たらないようにし、又、大きなネジフタを保持する時は柄部間内巾１３が大きくなり過ぎないようにし、又、保持部５，７の真円度を最小限、保たれるようにして確実に保持出来るようにし、柄部の先端１１を活用してビン、ペットボトル等のキャップ取り具を設け、又、一方の柄部先端１２を活用してリング状のキャップ取り、ラベル切り、梱包縄切断、スプレー缶穴開け等の兼用具を付けた。【選択図】図１
0003114991.tif 000002
【実用新案登録請求の範囲】
【請求項１】
ネジフタ保持部（５）の湾曲内面に山形の歯形（６）を形成し、他方には柄部（９）を設け、これらの中間の交差部分を大きく円曲させ、三日月形のスライド溝を設け、変則的Ｓ字型の開栓アーム（１）が有り、もう一方の開栓アーム（２）も、ネジフタ保持部（７）の湾曲内面に山形の歯形（８）を形成し、他方には柄部（１０）を有し、中間の交差部分に四角の支点軸用穴（１４）を設け、その軸用穴より支点軸（３）をスライド溝（４）に挿通し、支点軸用ナット（１５）を装着して開栓アーム（１），（２）を連結させ、開栓アームの柄部（９），（１０）の開閉によりネジフタを保持する機構を有するネジフタ開栓器具。
【請求項２】
ネジフタ開栓器具の柄部（１０）の先端部（１１）を、その形状を利用して、細く浅いスプーン状にし、ペットボトル、ビン等のキャップ取り具として請求項１に記載の柄部（１０）と一体化したネジフタ開栓器具。
【請求項３】
一方の柄部の先端部（１２）にリング状で残るキャップ（Ｔ）に挿入しやすくする為に、先端部を鷹の爪形状（１２）にし、そのキャップ取りと、ビン、ペットボトル等に添付されているラベルを切る事を可能にし、更に、紐、縄等の切断機能を有する一対のフック（１２ａ）を付け、スプレー缶等の穴開け機能を持ち合わせる様にし、請求項１に記載の柄部（９）と一体化したネジフタ開栓器具。
【考案の詳細な説明】
【技術部分】
【０００１】  本考案はネジフタ開栓器具、及び柄部先端のキャップ取り具等に関する。
【背景技術】
【０００２】  従来のネジフタ開栓器具は、大小すべてのフタの外周に合わせて保持部をセットすることは難しく、特に小さなネジフタの場合、保持部同士５，７が干渉し、大きなネジフタの場合は柄部間内巾１３が大きくなり過ぎる等の使いにくい面があり、又、柄部は柄の機能以外に利用されていない。【０００３】
【特許文献】特開２００４−１０６８７１号公報
【特許文献】特開    平８−１１９８７号公報
【特許文献】特開２００４−３２２３１１号公報
【考案の開示】
【考案が解決しようとする課題】
【０００４】  しかしネジフタは大中小とまちまちで、全てのフタの外周に合わせて保持部をセットすることが難しく、小さいネジフタを保持する時は、保持部先端同士５，７が干渉して確実に保持することは難しく、大きなネジフタを保持する時は柄部間の内巾１３が広くなり過ぎて持ちにくくなる上に、保持部同士５，７の真円度が保たれなくなりセットに時間がかかり、更に回しにくく、結果的に使用しにくい。【０００５】  ネジフタ開栓器具の柄部はほとんど利用されておらず又、昨今のビン等に圧着されているキャップを取る器具は出し入れ等がわずらわしい面も有り、又、全長が短く普通サイズのキャップでも、キャップの取り外しに、かなりの力を必要とし、特に大、特大サイズのキャップでは相当の力が必要となる。【０００６】  ビン等のキャップの中に構造上、一部が切れてリング状に残るものＴが有り、その部分を取る器具は全くなく、非常に取りにくく、又、ビン等に添付されているラベルの取り外しには、その都度カッター、はさみ等で切込みを入れ、取り外されているが、先端がラベルに入りにくく、その上、ビン等は丸くて転がり易く手を怪我する危険も伴い、又、古新聞紙、雑誌等の梱包時の紐、縄等の切断にカッター、はさみ等は使用されている。
【課題を解決する為の手段】
【０００７】  本考案は、ネジフタは大中小とまちまちで、そのすべてのネジフタの外周に合わせて調節出来るように支点軸３を瞬時に移動でき、しかも必要な位置で止められるようにスライド式４の支点軸受けにし、軸受け部形状を大きく円曲にし、更に、スライド溝を三日月形４にして支点軸の移動長さを長く、三日月形に動くようにし、従来は、この三日月形のスライド溝は無く全く新しい考案であり、そのことにより、小さなネジフタを保持した時の保持部７がもう一方の保持部５の先端に当たらずに外周を廻り、どんなに小さなネジフタでも確実に保持することができるようになり、又、大きなネジフタＥを保持しても柄部間の内巾１３が大きくなり過ぎることも無く又、保持部同士５，７の真円度が最小限、保たれるようにし、柄部を長くした事によりテコの原理が良く働くので握力の弱い老人、女性、子供にも優しいネジフタ開栓器具である。
【０００８】  また、ネジフタ開栓器具の未使用部である柄部の先端１１の形状を利用して、ペットボトル等の開口部に圧着された樹脂製のキャップ取り具を考え、柄部の先端部を厚さ巾共にキャップの中に楽に入るような大きさにし又、最先端をキャップの内径に合わせて細めの浅いスプーン状１１の形状にし、全てのサイズのキャップでも外せるキャップ取り具を考案し、ネジフタ開栓器具の柄部と一体化した器具である。
【０００９】  また、一方の柄部の先端部１２を利用し先端部を鷹の爪状１２にし、ビン等にリング状に残るキャップＴに器具の先端を差し込み外して取ることが出来るようにし、又、この爪を利用して、ビン等に添付されているラベルを切る事ができ、そこから安全に取り外せて、更に、梱包時の紐、縄等の切断機能を有し、その上、スプレー缶の穴開けにも使用できるように２枚のフック１２ａを備え、ネジフタ開栓器具の柄部と一体化した器具である。
【考案の効果】
【００１０】  よって本考案は大中小と大きさの違うネジフタの外周に器具の保持部を当接作業が簡単に手早くでき又、スライド溝を三日月形４にした事によりネジフタ保持部同士５，７の干渉も無く真円度が最低限保たれ、確実にネジフタを保持出来るようになり柄部間内巾１３も狭く持ち易く、保持部の滑り止め用山形の歯６，８も働き、その上、柄部が長いのでテコの原理が良く働き小さな力でも効率良くネジフタを保持でき、特にハチミツ、水飴、オリゴ糖などは粘度が高くビンに張り付き、取りにくかった物が楽に取れ、特に握力の弱い老人や女性や子供でも簡単にネジフタが取り外せるようになる。
【００１１】  また、未使用部の柄部を活用して作ったペットボトル等のキャップ取り器具は、キャップの内径の形状に良く合わせて、使用時には器具が、ずれない様に工夫し、又、柄部が長いのでテコの力が良く働き楽に中、大、特大と全てのサイズのキャップを取ることが出来る。
【００１２】  構造上、キャップの一部がリング状Ｔに残るものもあり、一方の柄部１２には、その部分も取れ、ビン、ペットボトル等に添付されているラベルＤを切る事を可能にし、そこからはがせる器具を考案し取り付け、従来この部分を取る器具は全くなく、非常に取りにくかったが楽に取れるようになり、しかも、梱包時の紐、縄等の切断機能を有する一対のフックを付け、紐、縄等も切断も出来、スプレー缶等の穴開けも可能にした。
【００１３】  以上のようにネジフタ開栓器具を主体にし、違った作業の出来る器具を多種組み合わせ開栓器具の柄部と一体化したので、このネジフタ開栓器具ひとつで、全ての資源ゴミや可燃ゴミ等の分類作業が出来、各作業とも非常に楽に簡単に出来るようになり、各家庭の分類出しも非常に早くかつ安全であり作業が楽になる。
【考案を実施する為の最良の形態】
【００１４】  よって本考案に関わるネジフタ開栓器具は開栓アーム１，２と中間部分の交差部に連結用の支点軸３とナット１５で構成され、開栓アーム１は、ネジフタ保持部５の湾曲内面いっぱいに、山形の歯型６を形成し、他方には柄部９を設け、これらの中間の交差部分を大きく円曲させ可能な限り曲がりの大きい三日月形スライド溝４を設け、変則的なＳ字型とし、又、もう一方の開栓アーム２もネジフタ保持部７の湾曲内面いっぱいに山形の歯型８を形成し、他方に柄部１０を有し、中間の交差部分に四角の支点軸用穴１４を設け、この穴より支点軸３を三日月形スライド溝に挿通し、支点軸用ナット１５を装着して、開栓アーム１，２を連結させ、この時、開栓アーム１，２の間に若干の遊びがあり、軽く柄部９，１０が動く様にさせ、そして柄部９，１０の開閉により、ネジフタ保持部５，７でネジフタを保持し、回転させる事により開栓する。
【００１５】  小さなネジフタを取る時は、保持部７の先がもう片方の保持部５の先に当たらずに外側を廻るようにし、どんな小さなネジフタでも確実に保持でき、大きなネジフタを取る時は、柄部間の内巾１３が大きくなり過ぎないように調整でき、保持部同士の真円度が最小限、保たれ確実に保持出来る様にし、又、各部品とも堅牢かつ肉厚を薄くして軽くし、柄部は少々長めにし使い易く、握力の弱い老人や女性、子供でも簡単かつ楽に使用できる。
【００１６】  柄部の先端を活用して作ったキャップ取り器具１１は器具の最先端部分の形状をキャップの内径のＲに合わせ細く浅いスプーン状にして、使用時には器具のズレの防止を計り、又、もう片方の柄部の先端に取り付けた、リング状のキャップ取り具１２は引っ掛け部分を細く鷹の爪状１２にし先端部分を差し込み易くし、又、ビン等に添付されているラベルも容易に切る事ができるよう鷹の爪状１２を少し長めにし、フック１２ａの付根の紐、縄等の切断刃部は可能な限り大きくする。
【図面の簡単な説明】
【００１７】
【図１】  本考案に関わるネジフタ開栓器具の全体斜視図である。
【図２】  開栓アーム（１）の斜視図である。
【図３】  開栓アーム（２）の斜視図である。
【図４】  （ａ）は支点軸、（ｂ）はナットを示す斜視図である。
【図５】  柄部（１０）の先端部（１１）を示す斜視図である。
【図６】  柄部（９）の先端部（１２）を示す斜視図である。
【図７】  小さなネジフタの開栓器具使用斜視図である。
【図８】  大きなネジフタの開栓使用斜視図である。
【図９】  ペットボトル等のキャップ取り使用斜視図である。
【図１０】  ビン等にリング状に残るキャップ取り使用斜視図である。
【図１１】  梱包用縄、切断使用斜視図である。
【図１２】  スプレー缶等穴開け使用斜視図である。
【図１３】  ビン等の添付ラベル切り使用斜視図である。
【符号の説明】
【００１８】  １  開栓アーム
２  開栓アーム
３  支点軸
４  三日月形スライド溝
５  保持部
６  内面歯型
７  保持部
８  内面歯型
９  柄部
１０  柄部
１１  柄部先端部分のキャップ取り具
１２  柄部先端部分のリング状キャップ取り具
１３  柄部間内巾
１４  支点軸穴
１５  支点軸用ナット
Ｑ  ビンネジフタ（小）
Ｗ  ビン
Ｅ  ビンネジフタ（大）
Ｒ  ビン
Ｔ  一部キャップ残り部分
Ｙ  ビン
Ｋ  スプレー缶
Ｃ  キャップ
Ｂ  ペットボトル
Ｄ  添付ラベル
Ｚ  梱包用縄
【図１】
0003114991.tif 000003
【図２】
0003114991.tif 000004
【図３】
0003114991.tif 000005
【図４】
0003114991.tif 000006
【図５】
0003114991.tif 000007
【図６】
0003114991.tif 000008
【図７】
0003114991.tif 000009
【図８】
0003114991.tif 000010
【図９】
0003114991.tif 000011
【図１０】
0003114991.tif 000012
【図１１】
0003114991.tif 000013
【図１２】
0003114991.tif 000014
【図１３】
0003114991.tif 000015